(57)【特許請求の範囲】
【請求項１】
第１のゴム材料の半径方向内側層と、空気タイヤの地面接触面を形成する第２のゴム材料の半径方向外側の第２の層とを有する車両空気タイヤ用のトレッドゴムを製造するための方法であって、第１のゴム材料が第２のゴム材料よりも高い導電性を有し、また第１のゴム材料が、空気タイヤの円周にわたって延びるようにされかつ軸方向に第２の層を分割するウェブの形態で地面接触面まで第２の層を通して半径方向外側に延在する方法において、
前記ウェブ（３４）は、第１のゴム材料で成る前記半径方向内側層と第２のゴム材料で成る前記第２の層とを形成するプロセスを通じて前記半径方向内側層の一部を半径方向外側へ延出させることによって、幅が狭い断面のウェブとして形成されるものであり、当該ウェブ（３４）の断面における幅寸法は、前記半径方向内側層（３２）の半径方向外周面から前記地面接触面の一部を形成するウェブの半径方向外周面に至るまで半径方向に沿って減少しており、
前記第１のゴム材料の半径方向内側層の一部によって形成されるべきウェブ（３４）の２つの軸方向側面の一方に、各々の場合に、ウェブの位置まで達する第１の軸方向延長領域で、第１のゴム材料の第１の層のプライ及び第２のゴム材料の第２の層が、回転対称の構成用表面に半径方向に互いに上下に構成されることと、形成されるべきウェブ（３４）の他方の軸方向側面から開始して、第２の軸方向延長領域で、第１のゴム材料のリボン状のゴムストリップに渦巻き状に巻き付けることによって、第１の軸方向延長領域の第１の層のためにすでに形成されたプライまで軸方向に並んで又は回転軸線を中心に少なくとも部分的に軸方向に重なり合って配置された幾つかの巻体で、第１の層のプライが軸方向に閉じられ、その結果、軸方向延長領域の第１の層のために形成されたプライに達すると、リボン状のゴムストリップが、構成されるべきトレッドゴムの外装部まで回転軸線を中心に半径方向外側に螺旋状又は渦巻き状にウェブを形成するために幾つかの巻体を使用して、最初に第１の延長領域の第１の層のために形成されたプライの軸方向端面と、次に第２の層の軸方向端面と接触してさらに巻き付けられることと、第２の軸方向延長の領域に、第２のゴム材料の第２の層がウェブ（３４）まで軸方向に構成されることを特徴とする方法。
【請求項２】
第１の層のプライが、第１の軸方向延長領域で、軸方向に並んで又は回転軸線を中心に少なくとも部分的に軸方向に重なり合って配置された幾つかの巻体で第１のゴム材料のリボン状のゴムストリップに螺旋状に巻き付けることによって構成される、請求項１に記載の特徴に従って車両タイヤ用のトレッドゴムを製造するための方法。
【請求項３】
第２の層も、第１の軸方向延長領域で、軸方向に並んで又は回転軸線を中心に少なくとも部分的に軸方向に重なり合って配置された幾つかの巻体で第１のゴム材料のリボン状のゴムストリップに螺旋状に巻き付けることによって構成される、請求項１又は２に記載の特徴に従って車両タイヤ用のトレッドゴムを製造するための方法。
【請求項４】
第２の層も、第２の軸方向延長領域で、軸方向に並んで又は回転軸線を中心に少なくとも部分的に軸方向に重なり合って配置された幾つかの巻体で第１のゴム材料のリボン状のゴムストリップに螺旋状に巻き付けることによって構成される、請求項１〜３のいずれか一項に記載の特徴に従って車両タイヤ用のトレッドゴムを製造するための方法。
【請求項５】
第２の層が構成される第１の層のプライが、２プライの半径方向外側プライ、すなわち第１のゴム材料の第１の層であり、半径方向外側のプライの半径方向内側に形成される第１の層のプライが、軸方向に並んで又は回転軸線を中心に少なくとも部分的に軸方向に重なり合って配置された幾つかの巻体で第１のゴム材料のリボン状のゴムストリップに螺旋状に巻き付けることによって構成され、その後に第１の軸方向延長領域の半径方向外側のプライが構成される、請求項１〜４のいずれか一項に記載の特徴に従って車両タイヤ用のトレッドゴムを製造するための方法。
【請求項６】
第１のゴム材料の半径方向内側層（３２）と、空気タイヤの地面接触面を形成する第２のゴム材料の半径方向外側の第２の層（３３）とを有する車両空気タイヤのトレッドゴムであって、第１のゴム材料が第２のゴム材料よりも高い導電性を有し、また第１のゴム材料が、空気タイヤの円周にわたって延びるようにされかつ軸方向に第２の層を分割するウェブ（３４）の形態で地面接触面まで第２の層（３３）を通して半径方向外側に延在するトレッドゴムにおいて、
前記ウェブ（３４）は、第１のゴム材料で成る前記半径方向内側層と第２のゴム材料で成る前記第２の層とを形成するプロセスを通じて前記半径方向内側層の一部を半径方向外側へ延出させることによって、幅が狭い断面のウェブとして形成されるものであり、当該ウェブ（３４）の断面における幅寸法は、前記半径方向内側層（３２）の半径方向外周面から前記地面接触面の一部を形成するウェブの半径方向外周面に至るまで半径方向に沿って減少しており、
ウェブ（３４）の２つの軸方向側面の一方に、各々の場合に、ウェブ（３４）の位置まで達する第１の軸方向延長領域で、第１のゴム材料の第１の層のプライ及び第２のゴム材料の第２の層が、半径方向に互いに上下に構成されることと、ウェブ（３４）の他方の軸方向側面から開始して、第２の軸方向延長領域で、第１のゴム材料の連続したリボン状のゴムストリップが、第１の軸方向延長領域の第１の層のためにすでに形成されたプライまで、軸方向に並んで又は車両タイヤの回転軸線を中心に少なくとも部分的に軸方向に重なり合って配置された幾つかの巻体で、螺旋状に延びるようにされ、これによって、第１の層のプライが軸方向に閉じるように形成され、また半径方向に内側から外側にストリップ状のゴムストリップの中断した継続で、第１の延長領域の第１の層及び第２の層のために形成されたプライの軸方向端面と接触して、ウェブが、車両空気タイヤの回転軸線を中心とするリボン状のゴムストリップの螺旋状及び／又は渦巻き状に形成された幾つかの巻体を使用して形成されるトレッドゴム。
【発明の詳細な説明】
【技術分野】
【０００１】
本発明は、第１のゴム材料の半径方向内側層と、空気タイヤの地面接触面を形成する第２のゴム材料の半径方向外側の第２の層とを有する車両空気タイヤ用のトレッドゴムを製造するための方法であって、第１のゴム材料が第２のゴム材料よりも高い導電性を有し、また第１のゴム材料が、空気タイヤの円周にわたって延びるようにされかつ軸方向に第２の層を分割するウェブの形態で地面接触面まで第２の層を通して半径方向外側に延在する方法に関し、また第１のゴム材料の半径方向内側層と、空気タイヤの地面接触面を形成する第２のゴム材料の半径方向外側の第２の層とを有する車両タイヤ、特に車両空気タイヤのトレッドゴムであって、第１のゴム材料が第２のゴム材料よりも高い導電性を有し、また第１のゴム材料が、空気タイヤの円周にわたって延びるようにされかつ軸方向に第２の層を分割するウェブの形態で地面接触面まで第２の層を通して半径方向外側に延在するトレッドゴムに関する。
【背景技術】
【０００２】
この種類の車両空気タイヤを製造するための方法が、例えば特許文献１から公知である。この方法の場合、導電層は、キャップ混合物から形成された第１の半径方向外側のゴム層の部分の軸方向内側に形成され、この場合、導電層は、外側ゴム層の半径方向内側のベース混合物から形成された第２のゴム層から、狭い断面のウェブとして半径方向外側にトレッドの地面接触面まで延在する。狭いウェブを形成する層は、半径方向に互いに上下に配置される幾つかの巻体ですでに構成された第２のゴム層の周りに巻回される狭いリボン状のストリップのゴムによって独立した製造操作で製造される。リボン状のゴムストリップの合同巻体は、各々の場合に同一の軸方向幅で形成される。次に、第１のゴム層を形成するためのゴム材料は、ウェブの両側に連続して構成され、この場合、エアポケットを何ら形成することなく、ウェブと第１のゴム層を形成するためのゴム材料との間の確実な接続を行わなければならない。このために、十分に高い押圧力が必要とされる。この工程においてウェブがその位置から容認できないほど傾かないように、ゴムリボンをできるだけ広くしなければならない。しかし、広くすることは、走行特性にとって重要な道路の表面に対し、キャップ混合物から形成された車両タイヤの第１のゴム層の接触表面積を低減する効果を有する。
【特許文献１】欧州特許第１１７５９９２ Ｂ１号明細書
【発明の開示】
【発明が解決しようとする課題】
【０００３】
したがって、本発明は、第１のゴム材料の半径方向内側層と、空気タイヤの地面接触面を形成する第２のゴム材料の半径方向外側の第２の層とを有するトレッドゴムで、車両タイヤ、特に車両空気タイヤの簡単な確実な製造を可能にする目的に基づいており、第１のゴム材料は特に第２のゴム材料よりも高い導電性を有し、また第１のゴム材料は、空気タイヤの円周にわたって延びるようにされかつ軸方向に第２の層を分割するウェブの形態で地面接触面まで第２の層を通して半径方向外側に延在し、このため、第２のゴム層と道路の表面との間の優れた接続にもかかわらず走行特性を最適に設計することできる。
【課題を解決するための手段】
【０００４】
上記目的は、本発明に従って、第１のゴム材料の半径方向内側層と、空気タイヤの地面接触面を形成する第２のゴム材料の半径方向外側の第２の層とを有する車両空気タイヤ用のトレッドゴムを製造するための方法であって、第１のゴム材料が第２のゴム材料よりも高い導電性を有し、また第１のゴム材料が、請求項１に記載の特徴に従って、空気タイヤの円周にわたって延びるようにされかつ軸方向に第２の層を分割するウェブの形態で地面接触面まで第２の層を通して半径方向外側に延在し、この場合、前記第１のゴム材料の半径方向内側層の一部によって形成されるべきウェブの２つの軸方向側面の一方に、各々の場合に、ウェブの位置まで達する第１の軸方向延長領域で、第１のゴム材料の第１の層のプライ及び第２のゴム材料の第２の層が、回転対称の構成用表面に半径方向に互いに上下に構成され、この場合、形成されるべきウェブの他方の軸方向側面から開始して、第２の軸方向延長領域で、第１のゴム材料のリボン状のゴムストリップに螺旋状に巻き付けることによって、第１の軸方向延長領域の第１の層のためにすでに形成されたプライまで軸方向に並んで又は回転軸線を中心に少なくとも部分的に軸方向に重なり合って配置された幾つかの巻体で、第１の層のプライが軸方向に閉じられ、その結果、軸方向延長領域の第１の層のために形成されたプライに達すると、リボン状のゴムストリップが、構成されるべきトレッドゴムの外装部まで回転軸線を中心に半径方向外側に螺旋状又は渦巻き状にウェブを形成するために幾つかの巻体を使用して、最初に第１の延長領域の第１の層のために形成されたプライの軸方向端面と、次に第２の層の軸方向端面と接触してさらに巻き付けられ、またこの場合、第２の軸方向延長領域に、第２のゴム材料の第２の層がウェブまで軸方向に構成される方法によって達成される。
【０００５】
このことと無関係に、上記目的は、本発明に従って、第１のゴム材料の半径方向内側層と、空気タイヤの地面接触面を形成する第２のゴム材料の半径方向外側の第２の層とを有する車両空気タイヤのトレッドゴムを形成する方法であって、第１のゴム材料が第２のゴム材料よりも高い導電性を有し、また第１のゴム材料が、請求項６に記載の特徴に従って、空気タイヤの円周にわたって延びるようにされかつ軸方向に第２の層を分割するウェブの形態で地面接触面まで第２の層を通して半径方向外側に延在し、この場合、前記ウェブは、第１のゴム材料の半径方向内側層の一部によって形成されるものであり、ウェブの２つの軸方向側面の一方に、各々の場合に、ウェブの位置まで達する第１の軸方向延長領域で、第１のゴム材料の第１の層のプライ及び第２のゴム材料の第２の層が、半径方向に互いに上下に構成され、またこの場合、ウェブの他方の軸方向側面から開始して、第２の軸方向延長領域で、第１のゴム材料の連続したリボン状のゴムストリップが、第１の軸方向延長領域の第１の層のためにすでに形成されたプライまで、軸方向に並んで又は車両タイヤの回転軸線を中心に少なくとも部分的に軸方向に重なり合って配置された幾つかの巻体で、螺旋状に延びるようにされ、これによって、第１の層のプライが軸方向に閉じるように形成され、また半径方向に内側から外側にストリップ状のゴムストリップの中断した継続で、第１の延長領域の第１の層及び第２の層のために形成されたプライの軸方向端面と接触して、ウェブが、車両空気タイヤの回転軸線を中心とするリボン状のゴムストリップの螺旋状及び／又は渦巻き状に形成された幾つかの巻体を使用して形成される方法によって達成される。
【０００６】
このようにして、少数の加工ステップのみによって、トレッドゴムを優れた精度でウェブで製造することができる。単一の操作で、ウェブは正確に第１の層のプライの部分と共に配置され、第１及び第２の層のすでに構成された部分に沿って支持されて構成される。このようにして、ウェブは、確実に支持されるが、それにもかかわらず狭い形状で形成することができ、この結果、道路の表面に対する狭い接触表面積と共に、トレッドゴム内の安定した正確に規定された位置決めが、製造中に可能にされる。
【０００７】
軸方向に並んで又は回転軸線を中心に少なくとも部分的に軸方向に重なり合って配置された幾つかの巻体で第１のゴム材料のリボン状のゴムストリップに螺旋状に巻き付けることによって、第１の層のプライが第１の軸方向延長領域で構成される請求項２に記載の特徴による方法が、特に有利である。これにより、プライ組立体の確実な相互のかみ合いの達成、同時に、それぞれ関連する位置におけるそれぞれ必要な組立体の体積の経済的な構成が可能になる。
【０００８】
軸方向に並んで又は回転軸線を中心に少なくとも部分的に軸方向に重なり合って配置された幾つかの巻体で第１のゴム材料のリボン状のゴムストリップに螺旋状に巻き付けることによって、第２の層も第１の軸方向延長領域で構成される請求項３に記載の特徴による方法が、特に有利である。
【０００９】
これにより、プライ組立体の確実な相互のかみ合いの達成、同時に、それぞれ関連する位置におけるそれぞれ必要な組立体の体積の経済的な構成が可能になる。
【００１０】
軸方向に並んで又は回転軸線を中心に少なくとも部分的に軸方向に重なり合って配置された幾つかの巻体で第１のゴム材料のリボン状のゴムストリップに螺旋状に巻き付けることによって、第２の層も第２の軸方向延長領域で構成される請求項４に記載の特徴による方法が、特に有利である。これにより、プライ組立体の確実な相互のかみ合いの達成、同時に、それぞれ関連する位置におけるそれぞれ必要な組立体の体積の経済的な構成が可能になる。
【００１１】
第２の層が構成される第１の層のプライが、２プライの半径方向外側プライ、すなわち第１のゴム材料の第１の層であり、特に、半径方向外側のプライの半径方向内側に形成される第１の層のプライが、軸方向に並んで又は回転軸線を中心に少なくとも部分的に軸方向に重なり合って配置された幾つかの巻体で、第１のゴム材料のリボン状のゴムストリップに螺旋状に巻き付けることによって構成され、その後に第１の軸方向延長領域の半径方向外側のプライが構成される、請求項５に記載の特徴による方法が、特に有利である。これにより、プライ組立体の確実な相互のかみ合いの達成、同時に、それぞれ関連する位置におけるそれぞれ必要な組立体の体積の経済的な構成が可能になる。
【００１２】
図１〜図１０に概略的に示した典型的な実施形態に基づき、本発明について以下により詳細に説明する。
【発明を実施するための最良の形態】
【００１３】
図１には、一例として、車両空気タイヤの構造物が示されており、ラジアル型の構造のカーカス３の第１のカーカスプライは、車両空気タイヤをリムに固定するために形成された右側ビード領域２２のビードフィラー（詳細に示していない）を有するビードコア２７の周りで、右側ショルダ領域及び頂点面にわたって気密の内部層の外側に、左側ビード領域２２に形成されるビードフィラーを有するビードコア２７に達し、また前記プライはその周りに従来の方法で布設される。カーカス３の第２のカーカスプライは、同様に図１の右側に示したタイヤの側面から左側に示した側面に延在するようにされ、従来の方法で第１のカーカスプライの上に置かれる。従来の方法で、公知の種類のビードストリップ（詳細に示していない）、公知の種類のビード強化材（詳細に示していない）、及びフランジプロフィル３５がビード領域２２に形成され、またフランジプロフィル３５からショルダ領域に達するサイドウォールゴム材料２８が布設される。ラジアル型の構造のカーカスプライの外側に配置されて、スチールコードがゴムに埋め込まれたブレーカーベルト２３の幾つかのブレーカーベルトプライは、タイヤの円周上方に達する。さらに、ブレーカーベルト２３のブレーカーベルトプライに、ブレーカーベルトプライ２３とトレッドゴム２９との間に、周方向に整列された補強支持体を有するブレーカーベルト２３の公知の種類のバンデージプライ（図示せず）が形成される。ショルダーストリップに、ショルダーストリップ３１が公知の方法でさらに布設される。タイヤ構造物の完成は、公知の方法で、形状化トレッドゴム２９によって形成される。
【００１４】
トレッドゴム２９は、半径方向外側のゴムプライ（キャップ）３３と半径方向内側のゴムプライ（ベース）３２から公知の方法で構成される。
【００１５】
半径方向内側のゴムプライ（ベース）１５の厚さは、０．６ｍｍ未満であり、例えば２〜３ｍｍである。
【００１６】
半径方向外側のゴムプライ（キャップ）３３は、公知の方法で、高い割合のシリカを有する、したがって比較的低い導電性を有するキャップに適切なトレッドゴム混合物で形成される。半径方向内側のゴムプライ（ベース）３２は、公知の方法で、高い割合のカーボンブラックを有する、したがって、キャップ用に使用されるトレッドゴム混合物と比較して比較的高い導電性を有するベースに適切なトレッドゴム混合物で形成される。
【００１７】
図１に示したように、運転中に生じることがある静電荷の危険を低減するために、車両空気タイヤの円周全体にわたって、半径方向内側のゴムプライ（ベース）３２から半径方向外側のゴムプライ（キャップ）３３を通して半径方向に車両空気タイヤの半径方向外側の周縁面に延在するようにされるウェブ３４があり、道路の表面との接触面を形成する。ウェブ３４は、高い割合のカーボンブラックを有する、したがって、キャップ用に使用されるトレッドゴム混合物と比較して比較的高い導電性を有する、半径方向内側のゴムプライ（ベース）３２が形成される同一のトレッドゴム混合物から形成される。車両空気タイヤの軸方向Ａに、ウェブ３４は、その断面で、延長長さａにわたって半径方向内側のゴムプライ（ベース）３２の半径方向外側の周縁面で延在し、その軸方向延長でその半径方向延長に沿って外側方向に小さくなり、また断面で、道路面との接触面を形成する車両空気タイヤの半径方向外側の周縁面で、延長長さｂにわたって軸方向延長に達し、ここでｂ＜ａである。
【００１８】
図１に示され車両空気タイヤの軸線を含む断面のウェブの断面図は、一実施形態において、半径方向に内側から外側にその半径方向の延長に沿って逓減的に減少するその軸方向延長量を有する輪郭プロフィルを有する。
【００１９】
車両空気タイヤを製造するために、トレッドゴムのない未加硫のグリーンタイヤが、図２に示したように、フレームワーク１に回転可能に装着されかつ制御ユニット３０を介して回転制御して駆動されるクランプヘッド２で、このクランプヘッド２対し同軸に構成されかつ固定される。
【００２０】
グリーンタイヤは、図５に示したように、ゴムに埋め込まれた強化支持体の１つ以上のプライ（図示せず）を備える従来の方法で形成されたカーカス３を備え、プライは、ビード領域２２から軸方向にグリーンタイヤのビード領域２２に延在するようにされ、またビードフィラーがその上に構成されたビードコア（単純化のため詳細に示していない）の周りにそれぞれ巻かれる。従来の方法で、公知の種類のビードストリップ（詳細に示していない）、公知の種類のビード強化材（詳細に示していない）、及びフランジプロフィル（単純化のため図５に図示せず）が、ビード領域２２に形成される。幾つかのブレーカーベルトプライを有するブレーカーベルト２３（単純化のため図５に図示せず）及び前記ブレーカーベルトに構成された１つ以上のバンデージプライは、ラジアル型の構造のカーカスプライの外側に配置されて、タイヤの円周上方に達する。
【００２１】
グリーンタイヤは、トロイダル状にクランプヘッド２に形成されかつ固定される。
【００２２】
図２には、巻取りヘッド４がさらに示されている。新しいタイヤのサイドウォールに巻き付けるために、丸いコード又はリボンの形態のゴム材料２０が、公知の種類の押出機２１から、巻取りヘッド４に固定されかつローラキャリアのフレーム１３の搬送方向に回転可能に互いに背後に装着された搬送ローラ１９を有するローラキャリアの上方に引き出され、それに続き、空圧式に又は油圧式に作動可能な往復ピストンシリンダの往復ピストン１４又は１５にそれぞれ固定される２つの保持プレート１６と１７の間を通して、巻取りヘッド４に変位可能に装着されるフレーム１３で、制御ユニット３０によって制御して作動され、それに続き、油圧式に又は空圧式にそれぞれ作動されることができ、また制御ユニット３０によって制御して作動される切断装置９の往復ピストンシリンダの往復ピストンカッタ１０又は１１が各々に設けられる２つの往復ピストンの間を通して、また搬送方向の下流側に配置される形成カレンダー６の２つのカレンダーロール７と８の間を通して、互いに相互作用し、制御装置３０によって回転制御して駆動され、前記ゴム材料はカレンダーロールによって引き出され、さらに公知の種類の偏向ローラを介して下流側布設ローラ５に搬送される。布設ローラ５によって、形成カレンダー６の形状化カレンダーロール７と８によって成形されたリボン状の材料が、圧力下で、図１と図４から理解できるように、ビード領域２２と、製造されるべきタイヤのトレッドとの間のグリーンタイヤのカーカスに巻かれる。
【００２３】
このため、最初に、巻取りヘッド４は、布設ローラ５がグリーンタイヤと接触する程度に、図２と図３に示したｘ方向にクランプヘッド２の回転軸線に対し平行に変位させられる。制御ユニット３０の制御下で無段の変位によってまたクランプヘッド２の回転軸線に対し平行の座標方向ｘ及びクランプヘッド２の回転軸線に対し直角の座標方向ｙの公知の変位装置（図示せず）によって、巻取りヘッド４は、この場合、布設ローラ５が所望の圧力でグリーンタイヤ３と接触するようにそれぞれ位置決めされることができる。さらに、図３に示したように、巻取りヘッド４は、図示していない公知の方法でｘ−ｙ面に対し直角に整列された軸線ｚを中心に制御して無段に枢動されることができ、この結果、布設ローラ５の周縁面がグリーンタイヤの表面に対する巻き付けに所望の整列をそれぞれとるように、制御ユニット３０によって巻取りヘッド４をそれぞれ位置決めすることができる。
【００２４】
この結果、図５に示したように、カレンダーロール７と８によって成形されたゴム材料２０は、クランプヘッド２の回転軸線を中心とするグリーンタイヤの制御された回転中に、半径方向に内側から外側にカーカスに連続的に巻き付けられる。個々の巻体は、この場合、並んで、あるいは必要ならば互いに重ね合わせて巻き出してもよい。このことは、トロイダルグリーンタイヤの輪郭に沿ったｘ−ｙ面の巻取りヘッド４の移動の対応する送りによって可能である。必要な場合、このため、トロイダルグリーンタイヤの輪郭の表面に対する布設ローラ５の整列が、ｚ軸を中心とする巻取りヘッド４の制御された枢動によって連続的に補正される。
【００２５】
必要な場合、図示していない実施形態では、布設ローラ５は、ｚ方向に制御して無段に変位可能であるようにさらに形成される。このような実施形態の場合、グリーンタイヤに対する布設ローラ５の巻付け位置は、ｚ方向に個々に制御して設定するか又は巻回中に変更することができる。
【００２６】
往復ピストンカッタ１０と１１の間に引かれる丸いコード又はリボンの形態のゴム材料が、グリーンタイヤのサイドウォールを製造するために望ましい巻き付け長さに対応するような長さに達すると、切断工程が制御ユニット３０によって開始される。このため、往復ピストンカッタ１０と１１の往復ピストンは、それぞれの往復ピストンシリンダで互いに向かって空圧式に又は油圧式に変位させられ、この結果、丸いコード又はリボンの形態のゴム材料が、両側から作用する往復ピストンカッタ１０と１１によって切断される。
【００２７】
切断工程によって生成される切断されたゴムストリップの端部がグリーンタイヤのサイドウォールに布設ローラ５によって押圧されると、巻取りヘッドが、ｘ−ｙ面の制御された変位によってグリーンタイヤから取り除かれる。
【００２８】
新しいタイヤのサイドウォールに巻き付けるために、新しいグリーンタイヤがクランプヘッド２に装着され、次に、タイヤサイドウォールを構成するための巻付け工程を開始できる程度に、巻取りヘッド４がグリーンタイヤに制御して導かれる。
【００２９】
カレンダーロール７と８の間に押出機によって新たに生成された丸いコード又はリボンの形態のゴムストランドの開始部を導入するために、最初に、ゴムリボン２０に対し平行に整列された保持プレート１６と１７がそれぞれゴムリボン２０と摩擦接触して、それらの間にゴムリボン２０をしっかりと保持する程度に、往復ピストン１４と１５が互いに向かって制御ユニット３０の制御下で油圧式に又は空圧式に移動される。その後、制御ユニット３０の制御下に、ゴムリボン２０の搬送方向に対し平行に巻取りヘッド４に変位可能に装着されるフレーム１３が、形成カレンダー６のカレンダーロール７と８に向かって搬送方向に移動され、この結果、ゴムリボン２０がカレンダーロール７と８の間に導入され、カレンダーロール７と８によってカレンダーロール７と８の間のカレンダー隙間を通して引き込まれる。この状態が図４ａに示されている。その後、図４ｆから理解できるように、次に、保持プレート１６と１７とゴムストリップとの間の接触が、ゴム材料からのゴムリボン２０の搬送方向に対し直角に往復ピストン１４と１５を油圧作動させることによって終了される。その後、図４ｇに示したように、次に、フレーム１３はその開始位置に持ち上げられる。
【００３０】
切断のため、最初に、ゴムリボン２０に対し平行に整列された保持プレート１６と１７がそれぞれゴムリボン２０と摩擦接触して、それらの間にゴムリボン２０をしっかりと保持する程度に、往復ピストン１４と１５が互いに向かって制御ユニット３０の制御下で油圧式に又は空圧式に移動される。その後、制御ユニット３０の制御下に、ゴムリボン２０の搬送方向に対し平行に巻取りヘッド４に変位可能に装着されるフレーム１３が、カレンダーロール７と８の搬送速度で、形成カレンダー６のカレンダーロール７と８に向かって搬送方向に移動され、この結果、ゴムリボン２０がカレンダーロール７と８の間に形成されたカレンダー隙間の方向に導かれ、ゴムリボン２０は、カレンダーロール７と８によってカレンダーロール７と８の間のカレンダー隙間を通して引き込まれ続ける。この状態が図４ａに示されている。その後、フレーム１３は、再び、制御して反対の搬送方向に移動して戻される。保持プレート１６と１７及びカレンダーロール７と８の間にそれぞれクランプされたゴムリボン２０は、これによって、２つのクランプ位置の間に延伸される。これにより、ゴムリボン２０の狭窄部が生成される。巻取りヘッド４の往復ピストンカッタ１０と１１の位置は、この場合、延伸された材料の予想される最も薄い断面領域に往復ピストンカッタが位置決めされるように選択される。この状態が図４ｂに示されている。その後、図４ｃから理解できるように、往復ピストンカッタ１０と１１は、互いに向かって制御して油圧式に又は空圧式に移動され、この結果、ゴムリボン２０は最も薄い断面領域で切断される。先行するストリップ材料の端部は、さらにグリーンタイヤに搬送される。図４ｄから理解できるように、次のストリップ材料の開始部は、同様に先細りの形状であり、また図４ｅから理解できるように、フレーム１３を搬送方向に変位させることによって、カレンダーロール７と８の間のカレンダー隙間に導入される。その後、図４ｆから理解できるように、次に、保持プレート１６と１７とゴムストリップとの間の接触が、ゴム材料からのゴムリボン２０の搬送方向に対し直角に往復ピストン１４と１５を油圧作動させることによって終了される。その後、図４ｇに示したように、次に、フレーム１３はその開始位置に持ち上げられる。
【００３１】
図４ｃから理解できるように、先行するストリップの端部は、同様に先細りの形状である。ゴムストリップの開始部及び端部の先細りにより、開始部及び端部のグリーンタイヤの表面に巻き付けるときに、グリーンタイヤの表面との均一な移行部を得ることができる。
【００３２】
巻き付けられるべき長さに正確に切断するため、ゴムストリップ材料の長さを決定するために、一実施形態では、長さは、例えば、カレンダーロール７と８の回転速度から決定されるか又は直接測定される搬送速度に関する利用可能なデータから決定され、また搬送時間が決定される。代替実施形態では、図２に示したように、搬送されるゴムストリップ材料の長さは、公知の種類のゴムリボンを決定するための巻取りヘッドに形成されたセンサによって測定され、これらのデータは処理のために制御ユニットに送られる。センサは、例えば、往復運動するカッタ１０と１１を有する切断装置と、カレンダーロール７と８を有する形成カレンダーロール６との間に配置されるか、あるいは、図２に示したように搬送方向のカレンダーに配置される。
【００３３】
図５に示したように、半径方向内側のゴムプライ（ベース）３２を構成するためのトレッドゴム混合物及びタイヤのトレッドゴム２９の半径方向外側のゴムプライ（キャップ）３３は、上述のように、巻取りヘッド４によっても、対応する同一の方法で生産されたゴムストリップから巻取りヘッド４の布設ローラ２５にわたって巻き付けられる。この点に関し、図５に、グリーンタイヤのカーカスに構成された公知の種類のブレーカーベルト２３に、ゴムストリップが巻き付けられる実施形態が示されている。サイドウォール輪郭に沿った半径方向運動の代わりに、布設は、トレッドゴムの領域の車両空気タイヤの輪郭に沿った制御された軸方向運動で行われる。クランプヘッド２の回転軸線を中心とするグリーンタイヤの制御された回転中に、カレンダーロール７と８によって成形されたゴム材料２０は、ブレーカーベルトの軸方向延長に沿って軸方向Ａに、ブレーカーベルト２３に連続的に巻き付けられる。個々の巻体は、この場合、並んで、あるいは必要ならば互いに重ね合わせて巻き出してもよい。このことは、トロイダルグリーンタイヤの輪郭に沿ったｘ−ｙ面の巻取りヘッド４の移動の対応する送りによって可能である。必要な場合、このため、トロイダルグリーンタイヤの輪郭の表面対する布設ローラ５の整列が、ｚ軸を中心とする巻取りヘッド４の制御された枢動によって連続的に補正される。
【００３４】
巻き付けられるべきタイヤ輪郭に沿った巻取りヘッドの送りを制御して変更することによって、したがって、並んで形成された巻き付けられたストリップ材料の個々の巻体の適切な異なる重なり合いによって、トレッドゴム及び／又はサイドウォールの異なる厚さの構成されたプライをそれぞれ形成することができる。
【００３５】
このため、輪郭形成及び厚さ分布は、グリーンタイヤの表面に対する布設ローラ５又は布設ローラ２５の整列角度を適切に変更することによって、さらに制御して介入することができる。必要な場合、このため、トロイダルグリーンタイヤの輪郭の表面に対する布設ローラ５又は布設ローラ２５の整列が、ロール方向に方向付けられかつ布設ローラ５又は布設ローラ２５の回転軸線を交差するｘ’軸を中心とする布設ローラ５又は布設ローラ２５の制御された枢動によって連続的に補正される。布設ローラ２５の例について、ｘ’軸及び枢動運動の方向を表す矢印が図５に示されている。
【００３６】
同様に、幾つかのこのようなゴムストリップから、トレッドゴムの構成されたプライ又はサイドウォールを巻き付けることが可能である。この場合、これらのゴムストリップは、必要ならば、異なるゴム材料及び／又は異なる形状でよい。異なる成形は、例えば、形成カレンダーのカレンダーロールの改造によって行われる。
【００３７】
一実施形態において、ショルダーストリップ３１は、接合構成要素のようなサイドウォールと共に巻き付けられ、他の実施形態では、ショルダーストリップ３１は、サイドウォール２８及びトレッドゴム２９の形成に続き独立構成要素として巻き付けられる。
【００３８】
図６ａ〜図６ｃは、半径方向内側のトレッドゴムプライ（ベース）３２及び半径方向外側のトレッドゴムプライ（キャップ）３３からウェブ３４を巻き付けることによって、このようにして形成されたトレッドゴムの巻付けパターンを概略的に示している。
【００３９】
このため、図６ａから理解できるように、ベースプライ３２の右側５２が製造され、例えば高い割合のカーボンブラックを有する高い導電性のベース混合物から製造されたゴムリボン２４から巻き付けることによって形成される。この典型的な実施形態の場合、ベースプライ３２の右側５２は、グリーンタイヤの軸線を中心に螺旋状に巻き付けられたゴムリボン２４の並んで位置する個々の隣接する巻体を重ね合わせて、ウェブ３４の所望の位置決めまでブレーカーベルトプライ（図示せず）の軸方向延長全体にわたって、右側タイヤショルダから左に製造される。これが行われるとき、グリーンタイヤの軸方向Ａの巻取りヘッドの送りの制御された変更により、巻体の重ね合わせが制御して設定される。
【００４０】
次に、図６ｂに示したように、キャッププライ３３の右側５４が製造され、例えば高い割合のシリコンを有するベース混合物と比較してより低い導電性のキャップ混合物から製造されたゴムリボン２４から、上述のように製造されたベースプライ３２の右側５２の半径方向外側面に巻き付けることによって形成される。この典型的な実施形態の場合、キャッププライ３２の右側５４は、グリーンタイヤの軸線を中心に螺旋状に巻き付けられたゴムリボン２４の並んで位置する個々の隣接する巻体を重ね合わせて、ウェブ３４の所望の位置決めまでブレーカーベルトプライ（図示せず）の軸方向延長全体にわたって、右側タイヤショルダから左に製造される。これが行われるとき、グリーンタイヤの軸方向Ａの巻取りヘッドの送りの制御された変更により、巻体の重ね合わせが制御して設定される。
【００４１】
簡明さのため、図６ｂでは、ベースプライ３２の右側５２の巻き付けられた巻体については、もはや個々に示さない。
【００４２】
次に、図６ｂに示したように、ベースプライ３２の左側５３が製造され、例えば高い割合のカーボンブラックを有する高い導電性のベース混合物から製造されたゴムリボン２４から巻き付けることによって形成される。この典型的な実施形態の場合、ベースプライ３２の左側５３は、グリーンタイヤの軸線を中心に螺旋状に巻き付けられたゴムリボン２４の並んで位置する個々の隣接する巻体を重ね合わせて、ベースプライ３２のすでに構成された右側５２までブレーカーベルトプライ（図示せず）の軸方向延長全体にわたって、左側タイヤショルダから右に製造される。ゴムリボン２４は、ウェブ３４を形成するために、構成されるべきトレッドゴムの半径方向外側周縁まで半径方向外側に、グリーンタイヤの軸線を中心に螺旋状及び／又は渦巻き状に、並んで位置する個々の隣接する巻体を重ね合わせて、左側に面するベースプライ３２の右側５２及びキャッププライ３３の右側５４の端面に沿って巻き付けられる。これが行われるとき、グリーンタイヤの軸方向Ａの巻取りヘッドの送りの制御された変更により、巻体の重ね合わせが制御して設定される。
【００４３】
次に、図６ｃに示したように、キャッププライ３３の左側５５が製造され、例えば高い割合のシリコンを有するベース混合物と比較してより低い導電性のキャップ混合物から製造されたゴムリボン２４から、上述のように製造されたベースプライ３２の左側５３の半径方向外側面に巻き付けることによって形成される。この典型的な実施形態の場合、キャッププライ３３の左側５５は、グリーンタイヤの軸線を中心に螺旋状に巻き付けられたゴムリボン２４の並んで位置する個々の隣接する巻体を重ね合わせて、左側に面するベースプライ３２の右側５２及びキャッププライ３３の右側５４の端面に沿って、ベースプライ３２の左側５３のゴムリボンから巻き付けられたウェブ３４までブレーカーベルトプライ（図示せず）の軸方向延長全体にわたって、左側タイヤショルダから右に製造される。これが行われるとき、グリーンタイヤの軸方向Ａの巻取りヘッドの送りの制御された変更により、巻体の重ね合わせが制御して設定される。
【００４４】
図６ｂに示した形状のウェブ３４は、半径方向内側のプライ３２（ベース）の半径方向外側周縁面を有する断面に形成され、半径方向内側のプライ３２の断面輪郭は軸方向延長長さａを有する。ウェブ３４の断面輪郭は、グリーンタイヤの半径方向延長に沿って、半径方向に内側から外側に、逓減的に減少する延長長さにより形成される。ウェブ３４の最大の半径方向外側延長の半径方向位置に、ウェブは、軸方向延長長さｂにわたってのみ軸方向延長に延在し、ここでｂ＜ａである。
【００４５】
図７には、互いに上下に形成された２つの半径方向内側のベースプライを有するトレッドゴムを製造する代替方法の巻付けパターンが示されている。このため、最初に、ベース層３２の半径方向内側のプライの右側５２が、例えば高い割合のカーボンブラックを有する高い導電性のベース混合物から製造されたゴムリボン２４から巻き付けることによって製造される。この典型的な実施形態の場合、半径方向内側のプライの右側５６は、グリーンタイヤの軸線を中心に螺旋状に巻き付けられたゴムリボン２４の並んで位置する個々の隣接する巻体を重ね合わせて、右側タイヤショルダまでブレーカーベルトプライ（図示せず）の軸方向延長全体にわたって、軸方向に形成されるべきウェブ３４の右側の軸方向エッジ位置から右に製造される。そこで、巻取りヘッドの送りの方向を変更した後、ゴムリボン２４は、反対の軸方向に、構成された右側５６の半径方向外面に巻き付けられ、ベース層３２の半径方向外側のプライの右側５２を生成し、またベース層の軸方向延長部に、左側タイヤショルダまでベース層３２の半径方向内側のプライの左側５７を生成する。そこで、巻取りヘッドの送りの方向を再び変更した後、ゴムリボン２４は、反対の軸方向に、構成された左側５６の半径方向外面に巻き付けられ、ベース層３２の半径方向外側のプライの左側５３を生成する。この間、図６ｂに関連して説明したように、キャッププライ３３の右側５４が構成される。半径方向外側のベースプライの右側５２から半径方向内側のベースプライの右側５６の軸方向端面の半径方向内側のベースプライの左側５７の間の移行部に形成された段部に達すると、ウェブを形成するために、半径方向外側のベースプライの左側５３を構成するための巻付け操作が、さらに段部及びキャッププライの右側５４の軸方向端側に沿って半径方向外側に螺旋状及び／又は渦巻き状に巻き付けることによって継続される。これが行われるとき、グリーンタイヤの軸方向Ａの巻取りヘッドの送りの制御された変更により、巻体の重ね合わせがそれぞれ制御して設定される。キャップの左側５５は、図６ｃの実施形態と同様の方法で構成される。
【００４６】
図８には、半径方向に互いに上下に形成された両方の２つの半径方向内側のベースプライと、半径方向に互いに上下に形成された２つの半径方向外側のキャッププライとを有するトレッドゴムを製造する別の代替方法の巻付けパターンが示されている。形成は、図７の典型的な実施形態のように行われるが、キャッププライの右側５８を構成した後、巻取りヘッドの送りの方向が変更され、またキャッププライの右側５８のゴムリボンが、キャッププライの巻き付けられた右側５４の半径方向外面に巻き戻され、このようにして、軸方向に所望のウェブ３４の位置まで達する別のキャッププライの右側５８が形成される。ウェブ３４を形成するために、次に、外側ベースプライの左側５３のゴムリボンが、半径方向外側のキャッププライの右側５８の軸方向端側に沿って、タイヤの周縁に対し半径方向外側に、半径方向内側のキャッププライの右側５４の半径方向外側にさらに巻き付けられる。キャッププライの左側５５を構成した後、巻取りヘッドの送りの方向が変更され、またキャッププライの左側５５のゴムリボンが、キャッププライの巻き付けられた左側５５の半径方向外面に巻き戻され、このようにして、左側ショルダまで延在する別のキャッププライの左側５９が形成される。
【００４７】
代わりの巻付けでは、巻付け方向の変更により、半径方向内側のキャッププライの左側５５及び半径方向外側のキャッププライの左側５９を構成することもでき、半径方向内側のキャッププライの巻付け操作は、ウェブから軸方向に外側方向に左側ショルダに向かって行われ、また半径方向外側のキャッププライの巻付け操作は、左側ショルダから軸方向に内側方向にウェブに向かって行われる。
【００４８】
図９には、ウェブ３４の成形の別の実施形態が示されている。図６ｂでは、ゴムリボン２４が、ウェブ形成のためにゴムリボンの断面の軸Ａに対し小さな傾斜角で布設され、この結果、ウェブ３４は、半径方向に互いに上下に渦巻き状に配置された巻体を含めて形成される。図９では、ゴムリボン２４が、ウェブ形成のためにゴムリボンの断面の軸Ａに対し大きな傾斜角で布設され、この結果、ウェブ３４は、軸方向に並んで螺旋状に重なり合う巻体を含めて主に形成される。
【００４９】
半径方向外側のトレッドゴムプライ（キャップ）３３を通して延在するようにされたウェブ３４を有する、半径方向内側のトレッドゴムプライ（ベース）３２及び半径方向外側のトレッドゴムプライ（キャップ）３３を有する図５〜図８で説明した実施形態に関連する様々な実施形態のようなこのようにして製造されたグリーンタイヤは、公知の方法でクランプヘッドから取り除かれ（詳細に示していない）、公知の種類の加硫プレスに送られ（詳細に示していない）、この加硫プレスで、トレッドゴムプロフィル及びサイドウォール設計を成形する間にグリーンタイヤが加硫される。
【００５０】
前述のクランプヘッド２の代わりに、グリーンタイヤを製造する代替方法では、グリーンタイヤはまた、トレッドゴム及び／又はサイドウォールを巻き付けるための公知の種類のタイヤ構成用ドラムで構成される。
【００５１】
図１０ａに示したように、一実施形態では、グリーンタイヤ３は、トレッドゴム及び／又はサイドウォールを巻き付けるために、トロイダル状に拡張されたブラダー４０、例えば成形ブラダーで構成される。トレッドゴム及び／又はサイドウォールを構成するための巻付け操作は、前述の典型的な実施形態で説明したように行われる。
【００５２】
図１０ｂに示したように、他の実施形態では、グリーンタイヤ３は、トレッドゴム及び／又はサイドウォールを巻き付けるために、トロイダル状に形成された固定構成用コア４１で構成される。トレッドゴム及び／又はサイドウォールを構成するための巻付け操作は、前述の典型的な実施形態で説明したように行われる。
【００５３】
図１０ｃに示した実施形態では、ブレーカーベルト２３のブレーカーベルトプライは、略円筒状に形成された半径方向外面を有する公知の種類のベルト構成用ドラム４２で構成される。図５〜図９に関する実施形態で説明したのと同一の方法で、半径方向内側のトレッドゴムプライ（ベース）３２及び材料蓄積部２６は、ベルト構成用ドラム４２の周りに螺旋状にブレーカーベルト２３に巻き付けられる。図５〜図９に関連して説明したように、それによって、ウェブ３４は螺旋状又は渦巻き状に巻き付けられる。ブレーカーベルト２３及びトレッドゴムを備えるこのようにして予製作されたトレッドゴム／ブレーカーベルト組立体は、公知の方法で（詳細に示していない）ベルト構成用ドラム４２から取り除かれて、カーカス組立体に置かれ、カーカス組立体は、ビードコア、ビードフィラー、ビード強化ストリップ及びビード領域、内層及びカーカスプライを構成するための他の所望の構成要素を有するビード領域を形成するための構成部品から公知の種類のカーカス構成用ドラムで構成され（図示せず）、トロイダル状に成形され、また前記トレッドゴム／ブレーカーベルト組立体は、公知の方法で前記カーカス組立体に接続される。
【００５４】
一実施形態において、公知の種類の平坦なカーカスの構成用ドラムでカーカス組立体を製造する過程で、サイドウォールは、図２〜図４に関し説明したように形成される巻取りヘッドでカーカスに巻き付けられるか、あるいは従来の方法で構成される。
【００５５】
他の実施形態では、トロイダル隆起の後、またブレーカーベルト組立体と共に接合する前に、サイドウォールは、図２〜図４に関する説明に関連して説明した方法でカーカスに巻き付けられるか、あるいは従来の方法で布設される。
【００５６】
他の代わりの実施形態では、トロイダル状に成形されたカーカス組立体と共にトレッドゴム／ブレーカーベルト組立体を接合した後、サイドウォールは、図２〜図４に関する説明に関連して説明した方法で巻き付けられるか、あるいは従来の方法で布設される。
【００５７】
半径方向内側のトレッドゴムプライ（ベース）３２のために、またウェブ３４を形成するために使用される高い導電性のゴム混合物は、例えば、加硫後に２５℃で１０６Ω・ｃｍ以下の抵抗率を有するゴム混合物である。半径方向外側のトレッドゴムプライ（キャップ）３３を形成するために使用される低い導電性のゴム混合物は、例えば、加硫後に２５℃で１０８Ω・ｃｍの抵抗率を有するゴム混合物である。
【００５８】
ウェブ３４の軸方向位置は、ウェブ３４が半径方向に隆起したプロフィル要素の軸方向延長領域、例えば意図するトレッドゴムプロフィルのプロフィルブロックの周方向リブ又は列に形成され、また車両空気タイヤの転動中に道路面と確実に接触するように選択される。
【００５９】
一実施形態において、前述の単独で形成されるウェブ３４の代わりに、このようなウェブ３４は、トレッドゴムプロフィルの２つ又は３つの異なる軸方向位置に形成される。
【００６０】
ウェブ３４の断面は、そのベース輪郭で対称的に三角形であり、かつ内側トレッドゴムプライ（ベース）３２に対し直角であるように形成され、上に示したように、軸方向延長は内側から外側に半径方向に逓減的に減少する。他の実施形態では、ベース輪郭は、輪郭形成されるべき個々に所望のプロフィルに応じて、長方形の平行四辺形又はマッシュルーム状である。
【００６１】
図８に示したように、他の実施形態では、ウェブは内側トレッドゴムプライ（ベース）３２に対し直角に形成されず、適切に斜めに傾斜した輪郭で形成される。
【００６２】
別の実施形態では、キャップの構成後、ウェブは、キャップの半径方向延長を僅かに越えて延び、プレスローラによってキャップの半径方向外面に転動される（図示せず）。
【図面の簡単な説明】
【００６３】
【図１】車両空気タイヤの断面図である。
【図２】ストリップ状のゴム材料をグリーンタイヤに巻き付けるためのステーションの概略図であり、グリーンタイヤはドラム及び巻取りヘッドに構成される。
【図３】巻取りヘッドの概略断面図である。
【図４】図３ａ〜図３ｇに示した方法ステップによる巻取りヘッドの単純化した概略図であり、ゴム材料が供給されかつ長さに切断される方法を説明している。
【図５】ゴムストリップに巻き付けて、タイヤサイドウォールを形成しまたトレッドゴムを形成する工程の図面である。
【図６ａ】第１の実施形態のウェブを有するトレッドゴムを製造するための巻付け工程を示しており、単一プライベースと単一プライキャップとを有する典型的な実施形態に基づくトレッドゴムの断面図である。
【図６ｂ】第１の実施形態のウェブを有するトレッドゴムを製造するための巻付け工程を示しており、単一プライベースと単一プライキャップとを有する典型的な実施形態に基づくトレッドゴムの断面図である。
【図６ｃ】第１の実施形態のウェブを有するトレッドゴムを製造するための巻付け工程を示しており、単一プライベースと単一プライキャップとを有する典型的な実施形態に基づくトレッドゴムの断面図である。
【図７】第２の実施形態のウェブを有するトレッドゴムを製造するための巻付け工程を示しており、２プライベースと単一プライキャップとを有する典型的な実施形態に基づくトレッドゴムの断面図である。
【図８】第３の実施形態のウェブを有するトレッドゴムを製造するための巻付け工程を示しており、２プライベースと２プライキャップとを有する典型的な実施形態に基づくトレッドゴムの断面図である。
【図９】巻き付けられたゴムリボンの代わりの傾斜位置におけるウェブ成形の図面である。
【図１０ａ】膨張した成形ブラダーに構成されたグリーンタイヤの断面図であり、トレッドゴムの構成を説明している。
【図１０ｂ】トロイダルコアに構成されたグリーンタイヤの断面図であり、トレッドゴムの構成を説明している。
【図１０ｃ】略円筒状の構成用ドラムに構成されたブレーカーベルト組立体の断面図であり、トレッドゴムの構成を説明している。
【符号の説明】
【００６４】
１  フレームワーク
２  クランプヘッド
３  カーカス
４  巻回ヘッド
５  布設ローラ
６  成形カレンダー
７  カレンダーロール
８  カレンダーロール
９  切断装置
１０  往復ピストンカッタ
１１  往復ピストンカッタ
１２  送り装置
１３  フレーム
１４  往復ピストン
１５  往復ピストン
１６  保持プレート
１７  保持プレート
１８  キャリア
１９  案内ローラ
２０  ゴムリボン
２１  押出機
２２  ビード領域
２３  ブレーカーベルトプライ
２４  ゴムリボン
２５  布設ローラ
２６  材料蓄積部
２７  ビードコア
２８  サイドウォール
２９  トレッドゴム
３０  制御ユニット
３１  ウィング
３２  ベース
３３  キャップ
３４  ウェブ
３５  フランジプロフィル
４０  ブラダー
４１  構成用コア
４２  ベルト構成用ドラム
５２  １つ又は複数のプライの右側
５３  １つ又は複数のプライの左側
５４  １つ又は複数のプライの右側（キャップ）
５５  １つ又は複数のプライの左側（キャップ）
５６  １つ又は複数のプライの右側（ベース）
５７  １つ又は複数のプライの左側（ベース）
５８  １つ又は複数のプライの右側（キャップ）
５９  １つ又は複数のプライの左側（ベース）
【図１】
0005419683.tif 000002
【図２】
0005419683.tif 000003
【図３】
0005419683.tif 000004
【図４】
0005419683.tif 000005
【図５】
0005419683.tif 000006
【図６ａ】
0005419683.tif 000007
【図６ｂ】
0005419683.tif 000008
【図６ｃ】
0005419683.tif 000009
【図７】
0005419683.tif 000010
【図８】
0005419683.tif 000011
【図９】
0005419683.tif 000012
【図１０ａ】
0005419683.tif 000013
【図１０ｂ】
0005419683.tif 000014
【図１０ｃ】
0005419683.tif 000015